(57)【要約】【課題】画像投影システムにおいて、ユーザが、投影する画像に台形補正を自動で行う機能の有無を選択可能にして、ユーザがこの機能を必要としない場合には、プロジェクタの製造コストを低減可能とする。【解決手段】画像投影システムは、プロジェクタとＵＳＢケーブルとを含む。ＵＳＢケーブルは、プロジェクタにコンピュータから送信された画像データを出力するための信号出力端子と、角度を検出するための角度センサと、角度センサを制御するための制御部とを備える。制御部は、信号出力端子をプロジェクタに装着する時に（Ｓ１）、角度センサを用いてプロジェクタ本体の水平面に対する傾きの角度を検出すると共に、検出した角度に基づいてプロジェクタ本体の上下方向の向きを検出する（Ｓ２）。そして、信号出力端子から、角度センサによって検出された角度と上下方向の向きの情報をプロジェクタ２に送信する（Ｓ３）。【選択図】図６
2008244646.tif 000002
【特許請求の範囲】
【請求項１】
プロジェクタと、このプロジェクタに装着され、コンピュータ等から送信された画像データを伝送するための伝送ケーブルとを含み、
前記プロジェクタは、
前記伝送ケーブルを装着するためのケーブル装着部と、
前記ケーブル装着部に装着された伝送ケーブルから画像データを入力するための信号入力手段と、
前記信号入力手段に入力された画像データに基づく画像を形成する画像形成手段と、
前記画像形成手段により形成された画像を拡大投射するためのレンズと、
前記画像形成手段により形成された画像を投影するための光を出射する光源と、
前記光源を冷却するためのファンと、
プロジェクタ本体に指示を与えるための情報を含む赤外線信号を受信するための赤外線信号受信手段と、
前記プロジェクタ本体の各部を制御するためのプロジェクタ制御手段と、
前記プロジェクタ制御手段を動作させるためのプログラムを記憶するための記憶手段とを備え、
前記プロジェクタ制御手段は、投影する画像にいわゆる台形（キーストーン）補正を行うことができ、
前記伝送ケーブルは、
前記ケーブル装着部に装着され、前記プロジェクタに画像データを出力するための信号出力端子を備える画像投影システムにおいて、
前記伝送ケーブルは、
前記信号出力端子の前記ケーブル装着部への装着時における前記プロジェクタ本体の水平面に対する傾きの角度を検出するための角度センサと、
前記角度センサにより検出された角度、及びこの角度に基づく前記プロジェクタ本体の上下方向の向きの情報を含む赤外線信号を送信するための赤外線信号送信手段と、
前記赤外線信号送信手段を用いて、前記プロジェクタに前記角度及び前記上下方向の向きの情報を含む赤外線信号を送信するように指示を行うための送信ボタンと、
前記角度センサ及び前記赤外線信号送信手段を制御するためのケーブル制御手段とをさらに備え、
前記ケーブル制御手段は、
前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、ユーザにより前記送信ボタンが操作されると、前記赤外線信号送信手段を用いて、前記検出された角度と上下方向の向きとの情報を、前記プロジェクタに送信し、
前記プロジェクタ制御手段は、
前記赤外線信号受信手段を用いて、前記赤外線信号送信手段から送信された角度と上下方向の向きとの情報を受信し、受信した角度と上下方向の向きとの情報に基づき、投影する画像にいわゆる台形補正を行うことを特徴とする画像投影システム。
【請求項２】
プロジェクタと、このプロジェクタに画像データを伝送するための伝送ケーブルとを含み、
前記プロジェクタは、
前記伝送ケーブルを装着するためのケーブル装着部と、
前記伝送ケーブルから入力された画像データに基づく画像を形成する画像形成手段と、
前記画像形成手段により形成された画像を投影するための光を出射する光源と、
プロジェクタ本体の各部を制御するためのプロジェクタ制御手段とを備え、
前記プロジェクタ制御手段は、投影する画像にいわゆる台形（キーストーン）補正を行うことができ、
前記伝送ケーブルは、
前記ケーブル装着部に装着され、前記プロジェクタに画像データを出力するための信号出力端子を備える画像投影システムにおいて、
前記伝送ケーブルは、
前記信号出力端子の前記ケーブル装着部への装着時における前記プロジェクタ本体の水平面に対する傾きの角度を検出するための角度センサと、
前記伝送ケーブル内の角度センサ等の回路を制御するためのケーブル制御手段とをさらに備え、
前記ケーブル制御手段は、
前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、前記検出された角度と上下方向の向きとの情報を、該信号出力端子から前記プロジェクタに送信し、
前記プロジェクタ制御手段は、
前記信号出力端子から送信された角度と上下方向の向きとの情報を受信し、受信した角度と上下方向の向きとの情報に基づき、投影する画像にいわゆる台形補正を行うことを特徴とする画像投影システム。
【請求項３】
前記プロジェクタは、
前記プロジェクタ本体に指示を与えるための情報を含む赤外線信号を受信するための赤外線信号受信手段をさらに備え、
前記伝送ケーブルは、
前記角度センサにより検出された角度と前記プロジェクタ本体の上下方向の向きとの情報を含む赤外線信号を送信するための赤外線信号送信手段をさらに備え、
前記ケーブル制御手段は、前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、検出した角度と上下方向の向きとの情報を、前記赤外線信号送信手段を用いて、前記プロジェクタに送信し、
前記プロジェクタ制御手段は、前記赤外線信号受信手段を用いて、前記赤外線信号送信手段から送信された角度と上下方向の向きとの情報を受信し、受信した角度と上下方向の向きとの情報に基づき、投影する画像にいわゆる台形補正を行うことを特徴とする請求項２に記載の画像投影システム。
【発明の詳細な説明】
【技術分野】
【０００１】
本発明は、画像投影システムに関し、特にキーストーン補正技術に関する。
【背景技術】
【０００２】
従来から、スクリーン等に正面から傾きの無い状態で画像を投影することが出来ないときに、画像に台形（キーストーン）補正を行い、補正した画像を投影することができるプロジェクタが知られている。この種のプロジェクタは、傾きの角度に応じて画像の台形補正を行うため、プロジェクタ本体に角度センサが設けられており（例えば、特許文献１乃至６参照）、この角度センサによって検出されたプロジェクタ本体の水平面に対する傾きの角度に応じて画像の台形補正を自動で行う。
【０００３】
しかし、上記従来のプロジェクタでは、プロジェクタ本体に角度センサが設けられているため、画像の台形補正を手動で調整したい（台形補正を自動で行う機能を必要としない）ユーザにとって角度センサは必要ないにもかかわらず、ユーザが角度センサの有無を選択できない。この角度センサの存在は、プロジェクタの製造コストの上昇につながる。
【特許文献１】特開２００１−１８６５３８号公報
【特許文献２】特開２００５−６２５９０号公報
【特許文献３】特開２００３−５２７８号公報
【特許文献４】特開２００５−７９９３９号公報
【特許文献５】特開２００５−１１０１４８号公報
【特許文献６】特開２００６−３３０６４４号公報
【発明の開示】
【発明が解決しようとする課題】
【０００４】
本発明は、上記問題を解決するためになされたものであり、ユーザが、投影する画像に台形補正を自動で行う機能の有無を選択可能にして、ユーザがこの機能を必要としない場合には、プロジェクタの製造コストを低減させることができる画像投影システムを提供することを目的とする。
【課題を解決するための手段】
【０００５】
上記目的を達成するために請求項１の発明は、プロジェクタと、このプロジェクタに装着され、コンピュータ等から送信された画像データを伝送するための伝送ケーブルとを含み、前記プロジェクタは、前記伝送ケーブルを装着するためのケーブル装着部と、前記ケーブル装着部に装着された伝送ケーブルから画像データを入力するための信号入力手段と、前記信号入力手段に入力された画像データに基づく画像を形成する画像形成手段と、前記画像形成手段により形成された画像を拡大投射するためのレンズと、前記画像形成手段により形成された画像を投影するための光を出射する光源と、前記光源を冷却するためのファンと、プロジェクタ本体に指示を与えるための情報を含む赤外線信号を受信するための赤外線信号受信手段と、前記プロジェクタ本体の各部を制御するためのプロジェクタ制御手段と、前記プロジェクタ制御手段を動作させるためのプログラムを記憶するための記憶手段とを備え、前記プロジェクタ制御手段は、投影する画像にいわゆる台形（キーストーン）補正を行うことができ、前記伝送ケーブルは、前記ケーブル装着部に装着され、前記プロジェクタに画像データを出力するための信号出力端子を備える画像投影システムにおいて、前記伝送ケーブルは、前記信号出力端子の前記ケーブル装着部への装着時における前記プロジェクタ本体の水平面に対する傾きの角度を検出するための角度センサと、前記角度センサにより検出された角度、及びこの角度に基づく前記プロジェクタ本体の上下方向の向きの情報を含む赤外線信号を送信するための赤外線信号送信手段と、前記赤外線信号送信手段を用いて、前記プロジェクタに前記角度及び前記上下方向の向きの情報を含む赤外線信号を送信するように指示を行うための送信ボタンと、前記角度センサ及び前記赤外線信号送信手段を制御するためのケーブル制御手段とをさらに備え、前記ケーブル制御手段は、前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、ユーザにより前記送信ボタンが操作されると、前記赤外線信号送信手段を用いて、前記検出された角度と上下方向の向きとの情報を、前記プロジェクタに送信し、前記プロジェクタ制御手段は、前記赤外線信号受信手段を用いて、前記赤外線信号送信手段から送信された角度と上下方向の向きとの情報を受信し、受信した角度と上下方向の向きとの情報に基づき、投影する画像にいわゆる台形補正を行うものである。
【０００６】
請求項２の発明は、プロジェクタと、このプロジェクタに画像データを伝送するための伝送ケーブルとを含み、前記プロジェクタは、前記伝送ケーブルを装着するためのケーブル装着部と、前記伝送ケーブルから入力された画像データに基づく画像を形成する画像形成手段と、前記画像形成手段により形成された画像を投影するための光を出射する光源と、プロジェクタ本体の各部を制御するためのプロジェクタ制御手段とを備え、前記プロジェクタ制御手段は、投影する画像にいわゆる台形（キーストーン）補正を行うことができ、前記伝送ケーブルは、前記ケーブル装着部に装着され、前記プロジェクタに画像データを出力するための信号出力端子を備える画像投影システムにおいて、前記伝送ケーブルは、前記信号出力端子の前記ケーブル装着部への装着時における前記プロジェクタ本体の水平面に対する傾きの角度を検出するための角度センサと、前記伝送ケーブル内の角度センサ等の回路を制御するためのケーブル制御手段とをさらに備え、前記ケーブル制御手段は、前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、前記検出された角度と上下方向の向きとの情報を、該信号出力端子から前記プロジェクタに送信し、前記プロジェクタ制御手段は、前記信号出力端子から送信された角度と上下方向の向きとの情報を受信し、受信した角度と上下方向の向きとの情報に基づき、投影する画像にいわゆる台形補正を行うものである。
【０００７】
請求項３の発明は、請求項２に記載された画像投影システムにおいて、前記プロジェクタは、前記プロジェクタ本体に指示を与えるための情報を含む赤外線信号を受信するための赤外線信号受信手段をさらに備え、前記伝送ケーブルは、前記角度センサにより検出された角度と前記プロジェクタ本体の上下方向の向きとの情報を含む赤外線信号を送信するための赤外線信号送信手段をさらに備え、前記ケーブル制御手段は、前記信号出力端子を前記ケーブル装着部に装着した時に、前記角度センサを用いて前記プロジェクタ本体の水平面に対する傾きの角度を検出すると共に、この角度に基づく前記プロジェクタ本体の上下方向の向きの検出を行い、検出した角度と上下方向の向きとの情報を、前記赤外線信号送信手段を用いて、前記プロジェクタに送信し、前記プロジェクタ制御手段は、前記赤外線信号受信手段を用いて、前記赤外線信号送信手段から送信された角度と上下方向の向きとの情報を受信し、受信した角度と上下方向の向きとの情報に基づき、投影する画像にいわゆる台形補正を行うものである。
【発明の効果】
【０００８】
本発明によれば、ケーブル制御手段は、伝送ケーブル側に設けられた角度センサを用いてプロジェクタ本体の水平面に対する傾きの角度を検出すると共に、この角度に基づくプロジェクタ本体の上下方向の向きの検出を行い、検出した角度と上下方向の向きとの情報をプロジェクタに送信する。そして、プロジェクタ制御手段は、送信された角度と上下方向の向きとの情報を受信し、受信した角度と上下方向の向きとの情報に基づき、投影する画像にいわゆる台形補正を行う。
【０００９】
上記のように伝送ケーブル側に角度センサを設けられたことにより、ユーザが本発明の伝送ケーブルを購入するか否かによって、角度や上下方向の向きに応じた画像の台形補正を自動で行う機能の有無を選択することができる。これにより、ユーザが上記の機能を必要としない場合には、プロジェクタの製造コストを低減させることができる。
【発明を実施するための最良の形態】
【００１０】
以下、本発明の第１の実施形態に係る画像投影システムについて、図１乃至図５を参照して説明する。図１は、プロジェクタ２と、画像データを出力するコンピュータ４と、プロジェクタ２及びコンピュータ４に装着され、コンピュータ４から送信された画像データをプロジェクタ２に伝送するためのＵＳＢケーブル（伝送ケーブル）３とを含む画像投影システム１を示す。図２は、プロジェクタ２の内部構成を示し、図３はＵＳＢケーブル３の外観を示し、図４は、ＵＳＢケーブル３の内部構成を示し、図５（ａ）（ｂ）は、ＵＳＢケーブル３の側面を示す。プロジェクタ２は、コンピュータ４から送信された画像データを用いて画像を形成し、形成した画像を前方に設けられたスクリーン５などに拡大して投影する装置である。ＵＳＢケーブル３は、プロジェクタ２に装着されることにより、プロジェクタ２から電源の供給を受けることができる。
【００１１】
プロジェクタ２は、図２に示すように、ＵＳＢケーブル３を装着するためのケーブル装着部２７と、ケーブル装着部２７に装着されたＵＳＢケーブル３から画像データを入力するための信号入力部（信号入力手段）２６と、信号入力部２６に入力された画像データに基づく画像を形成する画像形成部（画像形成手段）２３と、ユーザによって操作され、装置に指示を行うための操作部２２とを備える。また、プロジェクタ２は、画像形成部２３により形成された画像を拡大投射するためのレンズ２１と、画像形成部２３により形成された画像を投影するための光を出射するランプ（光源）２４と、ランプ２４を冷却するためのファン２５と、プロジェクタ２本体の各部を制御するための制御部（プロジェクタ制御手段）２０と、制御部２０を動作させるためのプログラムを記憶するためのメモリ（記憶手段）２８とをさらに備える。
【００１２】
制御部２０は、プロジェクタ２本体が水平面に対して斜めに傾いているときに、画像にいわゆる台形（キーストーン）補正を行い、補正した画像をスクリーン５に投影する。具体的には、プロジェクタ２及びスクリーン５の設置状態が上記図１に示す状態のとき、制御部２０は、プロジェクタ２本体の水平面ｈに対する傾きの角度ｒ１に応じて画像に台形補正を行い、補正した画像を投影する。そのため、水平面ｈに対して垂直に設けられたスクリーン５に投影された画像は、スクリーン５に対して正面から傾きの無い状態で投影されたような画像となる。なお、プロジェクタ２本体の水平面ｈに対する傾きの角度の検出方法については後述する。
【００１３】
ＵＳＢケーブル３は、ケーブル装着部２７に装着され、図３及び図４に示すように、プロジェクタ２にコンピュータ４から送信された画像データを出力するための信号出力端子３２と、角度を検出するための角度センサ３３と、角度センサ３３を制御するための制御部（ケーブル制御手段）３６と、コンピュータ４に接続される信号入力端子３４とを備える。また、ＵＳＢケーブル３は、信号出力端子３２、角度センサ３３、及び制御部３６を収納する出力側のケース３０と、信号入力端子を収納する入力側のケース３１とをさらに備える。角度センサ３３及び制御部３６は、プロジェクタ２本体から供給される電源により動作する。
【００１４】
プロジェクタ２が通常状態（上記図１に示すように、プロジェクタ２の筐体の上面が上向き、下面が下向きの状態）で設置されている場合、図５（ａ）に示すように、ケース上面３０ａを上向きに、ケース下面３０ｂを下向きにした状態で、信号出力端子３２がケーブル装着部２７に装着される。一方、プロジェクタ２の上下が逆方向の状態（プロジェクタ２の筐体の上面が下向き、下面が上向きの状態）で設置されている場合、図５（ｂ）に示すように、ケース上面３０ａを下向きに、ケース下面３０ｂを上向きにした状態で、信号出力端子３２がケーブル装着部２７に装着される。
【００１５】
また、信号出力端子３２をケーブル装着部２７に装着するとき、入力側のケース３０のケース上面３０ａとケース下面３０ｂをプロジェクタ２本体の上面と下面に対して平行にした姿勢で、信号出力端子３２がケーブル装着部２７に装着される。すなわち、信号出力端子３２とケーブル装着部２７とのコネクタ形状は、信号出力端子３２のケーブル装着部２７への装着時に、ケース上面３０ａ及びケース下面３０ｂがプロジェクタ２本体の上面及び下面と平行となるような形状になっている。これにより、信号出力端子３２をケーブル装着部２７に装着したとき、プロジェクタ２本体の水平面に対する傾きの角度は、入力側のケース３０の水平面に対する傾きの角度と同じになり、プロジェクタ２本体の上下方向の向きと、入力側のケース３０の上下方向の向きとが同じになる。
【００１６】
角度センサ３３は、信号出力端子３２のケーブル装着部２７への装着時におけるプロジェクタ２本体の水平面に対する傾きの角度を検出することができる。具体的には、上記図１に示すようにＵＳＢケーブル３がプロジェクタ２に装着されている時、角度センサ３３は、角度ｒ２を検出する。プロジェクタ２本体の水平面に対する傾きの角度ｒ１は、入力側のケース３０の水平面に対する傾きの角度ｒ２と同じであるため、角度センサ３３により検出された角度ｒ２は、角度ｒ１と等しい。従って、角度センサ３３によりプロジェクタ２本体の水平面に対する傾きの角度を検出することができる。また、この角度ｒ２に基づいてプロジェクタ２本体の上下方向の向きを検出することができる。
【００１７】
次に、ＵＳＢケーブル３によるプロジェクタ２本体の上下方向の向きと、角度の検出の処理手順について、図６に示すフローチャートを参照して説明する。まず、制御部３６は、信号出力端子３２をケーブル装着部２７に装着する時に（Ｓ１）、角度センサ３３を用いてプロジェクタ２本体の水平面に対する傾きの角度を検出すると共に、検出した傾きの角度に基づいてプロジェクタ２本体の上下方向の向きの検出を行う（Ｓ２）。そして、信号出力端子３２から、角度センサ３３によって検出された角度と上下方向の向きとの情報を、プロジェクタ２に送信し（Ｓ３）、処理を終了する。
【００１８】
次に、プロジェクタ２による画像の台形補正処理の手順について、図７に示すフローチャートを参照して説明する。ここでは、予めケーブル装着部２７に信号出力端子３２が装着されており、上記図６の処理よってプロジェクタ２にプロジェクタ２本体の上下方向の向き及び角度の情報が送信されているものとする。
【００１９】
制御部２０は、信号入力部２６を用いて、信号出力端子３２から送信された角度と上下方向の向きとの情報を受信し（Ｓ１１）、受信した角度と上下方向の向きとの情報に応じて投影する画像に台形補正を行い（Ｓ１２）、補正した画像を投影する（Ｓ１３）。
【００２０】
上記のように、本実施形態に係る画像投影システム１によれば、ＵＳＢケーブル３の制御部３６は、角度センサ３３を用いてプロジェクタ２本体の水平面に対する傾きの角度を検出すると共に、検出した角度に基づくプロジェクタ２本体の上下方向の向きの検出を行い、検出した角度と上下方向の向きとの情報をプロジェクタ２に送信する。そして、プロジェクタ２の制御部２０は、送信された角度と上下方向の向きとの情報を受信し、受信した角度と上下方向の向きとの情報に応じて、投影する画像に台形補正を行う。このように、ＵＳＢケーブル３に設けられタ角度センサ３３を用いて、投影する画像の台形補正を自動で行わせることができる。
【００２１】
上記のように、ＵＳＢケーブル３に角度センサＳ３３を設けたことにより、ユーザが本発明のＵＳＢケーブル３を購入するか否かによって、角度や上下方向の向きに応じた画像の台形補正を自動に行う機能の有無を選択することができる。これにより、ユーザが上記の機能を必要としない場合には、プロジェクタ２の製造コストを低減させることができる。
【００２２】
次に、本発明の第２の実施形態に係る画像投影システムについて、図８乃至図１１を参照して説明する。図８は、本実施形態に係るプロジェクタ２の内部構成を示し、図９は、ＵＳＢケーブル３の外観を示し、図１０は、ＵＳＢケーブル３の内部構成を示し、図１１（ａ）（ｂ）は、ＵＳＢケーブル３の側面を示す。なお、各図において、同一の符号を付した部材は、第１の実施形態と同様な部材であることを示し、その説明を省略する。
【００２３】
第２の実施形態のプロジェクタ２は、図８に示すように、プロジェクタ２本体に指示を与えるための情報を含む赤外線信号を受信するための赤外線信号受信部（赤外線信号受信手段）２９をさらに備える点以外は、第１の実施形態に示したプロジェクタ２と同様の構成である。
【００２４】
第２の実施形態のＵＳＢケーブル３は、角度センサ３３により検出された角度の情報、及びこの角度に基づくプロジェクタ２本体の上下方向の向きの情報を含む赤外線信号を送信するための赤外線信号送信部（赤外線信号送信手段）３８と、プロジェクタ２に角度と上下方向の向きとの情報を含む赤外線信号を送信するように指示を行うための送信ボタン３７とをさらに備える点以外は、第１の実施形態に示したＵＳＢケーブル３と同様の構成である。
【００２５】
制御部３６は、角度センサ３３及び赤外線信号送信部３８を制御する。出力側のケース３０は、信号出力端子３２、角度センサ３３、送信ボタン３７、赤外線信号送信部３８、及び制御部３６を収納する。角度センサ３３、制御部３６及び赤外線信号送信部３８は、プロジェクタ２本体から供給される電源により動作する。
【００２６】
信号出力端子３２をケーブル装着部２７に装着するとき、入力側のケース３０をプロジェクタ２本体の水平面に対して平行にした姿勢で、信号出力端子３２がケーブル装着部２７に装着される。また、プロジェクタ２が通常状態（上記図１に示すように、プロジェクタ２の筐体の上面が上向き、下面が下向きの状態）で設置されている場合、図１１（ａ）に示すように、ケース上面３０ａを上向きに、ケース下面３０ｂを下向きにした状態で、信号出力端子３２がケーブル装着部２７に装着される。一方、プロジェクタ２の上下が逆方向の状態（プロジェクタ２の筐体の上面が下向き、下面が上向きの状態）で設置されている場合、図１１（ｂ）に示すように、ケース上面３０ａを下向きに、ケース下面３０ｂを上向きにした状態で、信号出力端子３２がケーブル装着部２７に装着される。
【００２７】
これにより、本実施形態のＵＳＢケーブル３は、第１の実施形態のＵＳＢケーブル３と同様に、信号出力端子３２のケーブル装着部２７への装着時におけるプロジェクタ２本体の水平面に対する傾きの角度を検出すると共に、検出した傾きの角度に基づいてプロジェクタ２本体の上下方向の向きとを検出することができる。
【００２８】
次に、本実施形態のＵＳＢケーブル３によるプロジェクタ２本体の上下方向の向きと、角度の検出の処理手順について、図１２に示すフローチャートを参照して説明する。まず、制御部３６は、信号出力端子３２がケーブル装着部２７に装着された時に（Ｓ２１）、角度センサ３３を用いてプロジェクタ２本体の水平面に対する傾きの角度を検出すると共に、検出した傾きの角度に基づいてプロジェクタ２本体の上下方向の向きの検出を行う（Ｓ２２）。そして、ユーザにより送信ボタン３７が操作されると（Ｓ２３）、赤外線信号送信部３８を用いて、検出された角度と上下方向の向きとの情報を、プロジェクタ２に送信し（Ｓ２４）、処理を終了する。
【００２９】
次に、プロジェクタ２による画像の台形補正処理の手順について、図１３に示すフローチャートを参照して説明する。ここでは、予めケーブル装着部２７に信号出力端子３２が装着されており、上記図１２の処理よってプロジェクタ２本体の上下方向の向き及び角度の情報がプロジェクタ２に送信されているものとする。
【００３０】
制御部２０は、赤外線信号受信部２９を用いて、ＵＳＢケーブル３の赤外線信号送信部３８から送信された角度の情報及び上下方向の向きの情報を受信し（Ｓ３１）、受信した角度と上下方向の向きとの情報に応じて投影する画像に台形補正を行い（Ｓ３２）、補正した画像を投影する（Ｓ３３）。
【００３１】
上記のように、本実施形態に係る画像投影システム１によれば、第１の実施形態に係る画像投影システム１と同様の効果を得ることができる。
【００３２】
また、ＵＳＢケーブル３の制御部３６は、ユーザにより送信ボタン３７が操作されると、赤外線信号送信部３８を用いて、角度センサ３３によって検出された角度と上下方向の向きとの情報をプロジェクタ２に送信する。そのため、ユーザがプロジェクタ２による画像の台形補正のタイミングを選択することができる。
【００３３】
なお、本発明は、上記の各実施形態の構成に限定されるものではなく、発明の趣旨を変更しない範囲で種々の変更が可能である。例えば、上記の各実施形態では、伝送ケーブルが、ＵＳＢケーブル３である例を示したが、これに限られず、プロジェクタ２に装着可能であり、プロジェクタ２本体から電源の供給が可能な伝送ケーブルであればよい。
【図面の簡単な説明】
【００３４】
【図１】本発明の第１の実施形態に係るプロジェクタ、コンピュータ、及び伝送ケーブルを含む画像投影システムを示す図。
【図２】上記プロジェクタの構成を示すブロック図。
【図３】上記伝送ケーブルの斜視図。
【図４】上記伝送ケーブルの内部構成を示すブロック図。
【図５】（ａ）（ｂ）は、上記伝送ケーブルの側面図。
【図６】上記伝送ケーブルにおける上下向き及び角度の検出処理の手順を示すフローチャート。
【図７】上記プロジェクタにおける画像の補正処理の手順を示すフローチャート。
【図８】本発明の第２の実施形態に係るプロジェクタの構成を示すブロック図。
【図９】本発明の第２の実施形態に係る伝送ケーブルの斜視図。
【図１０】上記伝送ケーブルの内部構成を示すブロック図。
【図１１】（ａ）（ｂ）は、上記伝送ケーブルの側面図。
【図１２】上記伝送ケーブルにおける上下向き及び角度の検出処理の手順を示すフローチャート。
【図１３】上記プロジェクタにおける画像の補正処理の手順を示すフローチャート。
【符号の説明】
【００３５】
１  画像投影システム
２  プロジェクタ
３  ＵＳＢケーブル（伝送ケーブル）
２０  制御部（プロジェクタ制御手段）
２３  画像形成部（画像形成手段）
２４  ランプ（光源）
２５  ファン
２６  信号入力部（信号入力手段）
２７  ケーブル装着部
２８  メモリ（記憶手段）
２９  赤外線信号受信部（赤外線信号受信手段）
３２  信号出力端子
３３  角度センサ
３６  制御部（ケーブル制御手段）
３７  送信ボタン
３８  赤外線信号送信部（赤外線信号送信手段）
【図１】
2008244646.tif 000003
【図２】
2008244646.tif 000004
【図３】
2008244646.tif 000005
【図４】
2008244646.tif 000006
【図５】
2008244646.tif 000007
【図６】
2008244646.tif 000008
【図７】
2008244646.tif 000009
【図８】
2008244646.tif 000010
【図９】
2008244646.tif 000011
【図１０】
2008244646.tif 000012
【図１１】
2008244646.tif 000013
【図１２】
2008244646.tif 000014
【図１３】
2008244646.tif 000015